(57)【要約】【課題】  車両を駐車させるのに便利な駐車場の運用方法を提供しようとする。【解決手段】  従来の複数の利用者に各々に対応する複数の車両を入出庫通路を通して入出庫させる駐車場の運用方法に変わって、予め会員情報と会員の運転する車両の車番とを関連づけて記録される会員情報／車番ＤＢを準備し、予め入庫通路または出庫通路を通過する車両の車番を読み取り可能な車番読み取り機器により入庫通路を通過する車両の車番を読み取り、前記会員情報／車番ＤＢにアクセスして前記特定入庫車両車番に関連づけられた会員情報を抽出し、前記特定入庫会員情報に基づき前記特定入庫車両の入庫を許可するものとした。【選択図】    図１
2018193697.tif 000002
【特許請求の範囲】
【請求項１】
複数の利用者に各々に対応する複数の車両を入庫通路を通して入庫させ、出庫通路を通して出庫させる駐車場の運用方法であって、
予め会員の情報である会員情報と会員の運転する車両の車番とを関連づけて記録される会員情報／車番ＤＢを準備する会員情報／車番ＤＢ準備工程と、
予め入庫通路または出庫通路を通過する車両の車番を読み取り可能な車番読み取り機器を準備する車番読み取り機器準備工程と、
前記車番読み取り機器により入庫通路を通過する車両である特定入庫車両の車番である特定入庫車両車番を読み取る入庫車両車番読み取り工程と、
前記会員情報／車番ＤＢにアクセスして前記特定入庫車両車番に関連づけられた会員情報を前記特定入庫車両を運転する会員の情報である特定入庫会員情報として抽出する入庫会員情報抽出工程と、
前記特定入庫会員情報に基づき前記特定入庫車両の入庫を許可する第一入庫許可工程と、
を備え、
前記入庫車両車番読み取り工程と前記入庫会員情報抽出工程と前記第一入庫許可工程とを順に実行する、
ることを特徴とする駐車場の運用方法。
【請求項２】
入庫する車両の運転手の操作により入力された情報を基に前記特定入庫会員情報を入手する入庫会員情報入手工程と、
前記特定入庫会員情報に基づき前記特定入庫車両の入庫を許可する第二入庫許可工程と、
を備え、
前記入庫会員情報抽出工程で前記特定入庫会員情報を抽出できなかったときに前記入庫会員情報入手工程と第二入庫許可工程とを実行する、
ことを特徴とする請求項１に記載の駐車場の運用方法。
【請求項３】
前記特定入庫会員情報と前記特定入庫車番とを関連づけて前記会員情報／車番ＤＢに追記して前記会員情報／車番ＤＢを更新する入庫時会員情報／車番ＤＢ更新工程と、
を備え、
前記入庫車両車番読み取り工程で車番を読み取れ、且つ前記入庫会員情報抽出工程で前記特定入庫会員情報を抽出できなかったときに前記入庫会員情報入手工程と前記入庫時会員情報／車番ＤＢ更新工程と第二入庫許可工程とを実行する、
ことを特徴とする請求項２に記載の駐車場の運用方法。
【請求項４】
前記入庫車番読み取り工程で前記特定入庫車両車番を読み取れなかったときに前記入庫会員情報入手工程と前記第二入庫許可工程とを実行する、
ことを特徴とする請求項３に記載の駐車場の運用方法。
【請求項５】
前記特定入庫会員情報に基づかずに駐車券を発行し前記特定入庫車両の入庫を許可する第三入庫許可工程と、
を備え、
前記入庫会員情報入手工程で前記特定入庫会員情報を入手できなかったときに第三入庫許可工程を実行する、
ことを特徴とする請求項４に記載の駐車場の運用方法。
【請求項６】
車番読み取り機器により出庫通路を通過する車両である特定出庫車両の車番である特定出庫車両車番を読み取る出庫車両車番読み取り工程と、
前記特定出庫車両車番を基に前記特定出庫車両車番をもつ車両が駐車中であることを示す駐車記録を確認する駐車記録確認工程と、
前記駐車記録を基に前記特定出庫車両の出庫を許可する第一出庫許可工程と、
を備え、
前記出庫車両車番読み取り工程が前記特定出庫車両車番を読み取れ、且つ前記駐車記録確認工程で前記駐車記録を確認したときに前記第一出庫許可工程を実行する、
ことを特徴とする請求項５に記載の駐車場の運用方法。
【請求項７】
前記特定出庫車両の運転手の操作により入力された情報を基に前記特定出庫車両を運転する会員の情報である特定出庫会員情報を入手する出庫会員情報入手工程と、
前記特定出庫会員情報を基に前記特定出庫車両の出庫を許可する第二出庫許可工程と、
を備え、
前記駐車記録確認工程で前記駐車記録を確認でなかったときに、前記出庫会員情報入手工程と前記第二出庫許可工程とを実行する、
ことを特徴とする請求項６に記載の駐車場の運用方法。
【請求項８】
前記特定出庫会員情報と前記特定出庫車両車番とを関連づけて前記会員情報／車番ＤＢに追加して前記会員情報／車番ＤＢを更新する出庫時会員情報／車番ＤＢ更新工程と、
を備え、
前記出庫車両車番読み取り工程で前記特定出庫車両車番を読み取れ、且つ前記駐車記録確認工程で前記駐車記録を確認でなかったときに、前記出庫会員情報入手工程と前記出庫時会員情報／車番ＤＢ更新工程と前記第二出庫許可工程とを実行する、
ことを特徴とする請求項７に記載の駐車場の運用方法。
【請求項９】
前記出庫車両車番読み取り工程が前記特定出庫車両車番を読み取れなかったとき、前記出庫会員情報入手工程と第二出庫許可工程とを実行する、
ことを特徴とする請求項８に記載の駐車場の運用方法。
【請求項１０】
前記特定会員情報に基づかずに駐車券を受領し特定出庫車両の出庫を許可する第三出庫許可工程と、
を備え、
前記出庫会員情報入手工程で前記特定出庫会員情報を入手できなかったときに第三出庫許可工程を実行する、
ことを特徴とする請求項９に記載の駐車場の運用方法。
【請求項１１】
前記特定出庫会員情報を基に前記特定出庫車両の出庫を許可する第四出庫許可工程と、
を備え、
前記出庫会員情報入手工程と前記第四出庫許可工程とを実行する、
ことを特徴とする請求項１０に記載の駐車場の運用方法。
【請求項１２】
前記特定会員情報に基づかずに駐車券を受領し前記特定出庫車両の出庫を許可する第五出庫許可工程と、
を備え、
前記出庫会員情報入手工程で前記特定出庫会員情報を入手できなかったとき前記第五出庫許可工程を実行する、
ことを特徴とする請求項１１に記載の駐車場の運用方法。
【請求項１３】
入庫する車両の運転手の操作により入力された情報を基に前記特定入庫会員情報を入手する入庫会員情報入手工程と、
前記特定入庫会員情報と前記特定入庫車番とを関連づけて前記会員情報／車番ＤＢに追記して前記会員情報／車番ＤＢを更新する入庫時会員情報／車番ＤＢ更新工程と、
前記特定入庫会員情報に基づき前記特定入庫車両の入庫を許可する第二入庫許可工程と、
を備え、
前記入庫車両車番読み取り工程で車番を読み取れ、且つ前記入庫会員情報抽出工程で前記特定入庫会員情報を抽出できなかったときに前記入庫会員情報入手工程と前記入庫時会員情報／車番ＤＢ更新工程と第二入庫許可工程とを実行する、
ことを特徴とする請求項１に記載の駐車場の運用方法。
【請求項１４】
入庫する車両の運転手の操作により入力された情報を基に前記特定入庫会員情報を入手する入庫会員情報入手工程と、
前記特定入庫会員情報に基づき前記特定入庫車両の入庫を許可する第二入庫許可工程と、
とを備え、
前記入庫車番読み取り工程で前記特定入庫車両車番を読み取れなかったときに前記入庫会員情報入手工程と前記第二入庫許可工程とを実行する、
ことを特徴とする請求項１に記載の駐車場の運用方法。
【請求項１５】
入庫する車両の運転手の操作により入力された情報を基に前記特定入庫会員情報を入手する入庫会員情報入手工程と、
前記特定入庫会員情報に基づかずに駐車券を発行し前記特定入庫車両の入庫を許可する第三入庫許可工程と、
を備え、
前記入庫会員情報入手工程で前記特定入庫会員情報を入手できなかったときに第三入庫許可工程を実行する、
ことを特徴とする請求項１に記載の駐車場の運用方法。
【請求項１６】
複数の利用者に各々に対応する複数の車両を入庫通路を通して入庫させ、出庫通路を通して出庫させる駐車場の運用方法であって、
車番読み取り機器により出庫通路を通過する車両である特定出庫車両の車番である特定出庫車両車番を読み取る出庫車両車番読み取り工程と、
前記特定出庫車両車番を基に前記特定出庫車両車番をもつ車両が駐車中であることを示す駐車記録を確認する駐車記録確認工程と、
前記駐車記録を基に前記特定出庫車両の出庫を許可する第一出庫許可工程と、
を備え、
前記出庫車両車番読み取り工程が前記特定出庫車両車番を読み取れ、且つ前記駐車記録確認工程で前記駐車記録を確認したときに前記第一出庫許可工程を実行する、
ことを特徴とする駐車場の運用方法。
【請求項１７】
前記特定出庫車両の運転手の操作により入力された情報を基に前記特定出庫車両を運転する会員の情報である特定出庫会員情報を入手する出庫会員情報入手工程と、
前記特定出庫会員情報を基に前記特定出庫車両の出庫を許可する第二出庫許可工程と、
を備え、
前記駐車記録確認工程で前記駐車記録を確認でなかったときに、前記出庫会員情報入手工程と前記第二出庫許可工程とを実行する、
ことを特徴とする請求項１６に記載の駐車場の運用方法。
【請求項１８】
予め会員の情報である会員情報と会員の運転する車両の車番とを関連づけて記録される会員情報／車番ＤＢを準備する会員情報／車番ＤＢ準備工程と、
前記特定出庫車両の運転手の操作により入力された情報を基に前記特定出庫車両を運転する会員の情報である特定出庫会員情報を入手する出庫会員情報入手工程と、
前記特定出庫会員情報と前記特定出庫車両車番とを関連づけて前記会員情報／車番ＤＢに追加して前記会員情報／車番ＤＢを更新する出庫時会員情報／車番ＤＢ更新工程と、
前記特定出庫会員情報を基に前記特定出庫車両の出庫を許可する第二出庫許可工程と、
を備え、
前記出庫車両車番読み取り工程で前記特定出庫車両車番を読み取れ、且つ前記駐車記録確認工程で前記駐車記録を確認でなかったときに、前記出庫会員情報入手工程と前記出庫時会員情報／車番ＤＢ更新工程と前記第二出庫許可工程とを実行する、
ことを特徴とする請求項１６に記載の駐車場の運用方法。
【請求項１９】
前記特定出庫車両の運転手の操作により入力された情報を基に前記特定出庫車両を運転する会員の情報である特定出庫会員情報を入手する出庫会員情報入手工程と、
前記特定出庫会員情報を基に前記特定出庫車両の出庫を許可する第二出庫許可工程と、
を備え、
前記出庫車両車番読み取り工程が前記特定出庫車両車番を読み取れなかったとき、前記出庫会員情報入手工程と第二出庫許可工程とを実行する、
ことを特徴とする請求項１６に記載の駐車場の運用方法。
【請求項２０】
前記特定出庫車両の運転手の操作により入力された情報を基に前記特定出庫車両を運転する会員の情報である特定出庫会員情報を入手する出庫会員情報入手工程と、
前記特定会員情報に基づかずに駐車券を受領し特定出庫車両の出庫を許可する第三出庫許可工程と、
を備え、
前記出庫会員情報入手工程で前記特定出庫会員情報を入手できなかったときに第三出庫許可工程を実行する、
ことを特徴とする請求項１６に記載の駐車場の運用方法。
【請求項２１】
前記特定出庫車両の運転手の操作により入力された情報を基に前記特定出庫車両を運転する会員の情報である特定出庫会員情報を入手する出庫会員情報入手工程と、
前記特定出庫会員情報を基に前記特定出庫車両の出庫を許可する第四出庫許可工程と、
を備え、
前記出庫会員情報入手工程と前記第四出庫許可工程とを実行する、
ことを特徴とする請求項１６に記載の駐車場の運用方法。
【請求項２２】
前記特定出庫車両の運転手の操作により入力された情報を基に前記特定出庫車両を運転する会員の情報である特定出庫会員情報を入手する出庫会員情報入手工程と、
前記特定出庫会員情報に基づかずに駐車券を受領し前記特定出庫車両の出庫を許可する第五出庫許可工程と、
を備え、
前記出庫会員情報入手工程で前記特定出庫会員情報を入手できなかったとき前記第五出庫許可工程を実行する、
ことを特徴とする請求項１６に記載の駐車場の運用方法。
【発明の詳細な説明】
【技術分野】
【０００１】
本発明は、複数の車両を駐車させる駐車場の運用方法に係る。
【背景技術】
【０００２】
駐車場は、車両を駐車させる場所である。
複数の車両を駐車させるのに駐車場を用いる。
自走式駐車場は、車両を大きい空間に位置する駐車空間に駐車させる。
例えば、機械式駐車場は、車両をパレットに乗せ、パレットを入出庫空間と駐車空間との間で移載させて駐車空間に駐車させる。
【０００３】
操作盤が駐車場に設置されている。
利用者は入庫操作・出庫操作をおこなうために車両から降りて操作盤にたいして操作をおこなう。
【０００４】
一方、携帯端末で駐車場の操作を行うことが提案されている。
発明者らは、モバイル端末やカーナビにて駐車場の操作を行うことを提案する。
モバイル端末は、携帯電話、スマートホン、携帯タブレット、パソコン、等である。
操作インターフェースを統一することで、どの駐車場を利用する場合も同じ操作で入庫・出庫操作をおこなうことができる。
また、駐車場とモバイル端末やカーナビとを無線でつなぐことにより車両から降りずに入庫操作・出庫操作さらに精算処理を行える。
【０００５】
また、駐車場での操作を必要とせず、駐車できる駐車場の運用方法が望まれている。
【発明の概要】
【発明が解決しようとする課題】
【０００６】
本発明は以上に述べた問題点に鑑み案出されたもので、車両を駐車させるのに便利な駐車場の運用方法を提供しようとする。
【課題を解決するための手段】
【０００７】
上記目的を達成するため、本発明に係る複数の利用者に各々に対応する複数の車両を入庫通路を通して入庫させ、出庫通路を通して出庫させる駐車場の運用方法であって、予め会員の情報である会員情報と会員の運転する車両の車番とを関連づけて記録される会員情報／車番ＤＢを準備する会員情報／車番ＤＢ準備工程と、予め入庫通路または出庫通路を通過する車両の車番を読み取り可能な車番読み取り機器を準備する車番読み取り機器準備工程と、前記車番読み取り機器により入庫通路を通過する車両である特定入庫車両の車番である特定入庫車両車番を読み取る入庫車両車番読み取り工程と、前記会員情報／車番ＤＢにアクセスして前記特定入庫車両車番に関連づけられた会員情報を前記特定入庫車両を運転する会員の情報である特定入庫会員情報として抽出する入庫会員情報抽出工程と、前記特定入庫会員情報に基づき前記特定入庫車両の入庫を許可する第一入庫許可工程と、を備え、前記入庫車両車番読み取り工程と前記入庫会員情報抽出工程と前記第一入庫許可工程とを順に実行する、ものとした。
【０００８】
上記本発明の構成により、会員情報／車番ＤＢ準備工程が、予め会員の情報である会員情報と会員の運転する車両の車番とを関連づけて記録される会員情報／車番ＤＢを準備する。車番読み取り機器準備工程が、予め入庫通路または出庫通路を通過する車両の車番を読み取り可能な車番読み取り機器を準備する。入庫車両車番読み取り工程が、前記車番読み取り機器により入庫通路を通過する車両である特定入庫車両の車番である特定入庫車両車番を読み取る。入庫会員情報抽出工程が、前記会員情報／車番ＤＢにアクセスして前記特定入庫車両車番に関連づけられた会員情報を前記特定入庫車両を運転する会員の情報である特定入庫会員情報として抽出する。第一入庫許可工程が、前記特定入庫会員情報に基づき前記特定入庫車両の入庫を許可する。前記入庫車両車番読み取り工程と前記入庫会員情報抽出工程と前記第一入庫許可工程とを順に実行する。
その結果、車両の運転手の特別の操作を必要とせずに、駐車場に入庫できる。
【０００９】
以下に、本発明の実施形態に係る駐車場の運用方法を説明する。本発明は、以下に記載した実施形態のいずれか、またはそれらの中の二つ以上が組み合わされた態様を含む。
【００１０】
本発明の実施形態に係る駐車状の運用方法は、入庫する車両の運転手の操作により入力された情報を基に前記特定入庫会員情報を入手する入庫会員情報入手工程と、前記特定入庫会員情報に基づき前記特定入庫車両の入庫を許可する第二入庫許可工程と、を備え、前記入庫会員情報抽出工程で前記特定入庫会員情報を抽出できなかったときに前記入庫会員情報入手工程と第二入庫許可工程とを実行する。
上記の実施形態の構成により、入庫会員情報入手工程が、入庫する車両の運転手の操作により入力された情報を基に前記特定入庫会員情報を入手する。第二入庫許可工程が、前記特定入庫会員情報に基づき前記特定入庫車両の入庫を許可する。前記入庫会員情報抽出工程で前記特定入庫会員情報を抽出できなかったときに前記入庫会員情報入手工程と第二入庫許可工程とを実行する。
その結果、前記会員情報／車番ＤＢに前記特定入庫車両車番に関連づけられた会員情報が記録されていないときも、運転手の簡単な操作により車両を駐車場に入庫できる。
【００１１】
本発明の実施形態に係る駐車場の運用方法は、入庫する車両の運転手の操作により入力された情報を基に前記特定入庫会員情報を入手する入庫会員情報入手工程と、前記特定入庫会員情報と前記特定入庫車番とを関連づけて前記会員情報／車番ＤＢに追記して前記会員情報／車番ＤＢを更新する会員情報／車番ＤＢ更新工程と、前記特定入庫会員情報に基づき前記特定入庫車両の入庫を許可する第二入庫許可工程と、を備え、前記入庫会員情報抽出工程で前記特定入庫会員情報を抽出できなかったときに前記入庫会員情報入手工程と前記会員情報／車番ＤＢ更新工程と第二入庫許可工程とを実行する。
上記の実施形態の構成により、入庫会員情報入手工程が、入庫する車両の運転手の操作により入力された情報を基に前記特定入庫会員情報を入手する。会員情報／車番ＤＢ更新工程が、前記特定入庫会員情報と前記特定入庫車番とを関連づけて前記会員情報／車番ＤＢに追記して前記会員情報／車番ＤＢを更新する。第二入庫許可工程が、前記特定入庫会員情報に基づき前記特定入庫車両の入庫を許可する。前記入庫車両車番読み取り工程で車番を読み取れ、且つ前記入庫会員情報抽出工程で前記特定入庫会員情報を抽出できなかったときに前記入庫会員情報入手工程と前記会員情報／車番ＤＢ更新工程と第二入庫許可工程とを実行する。
その結果、前記会員情報／車番ＤＢに前記特定入庫車両車番に関連づけられた会員情報が記録されていないときも、運転手の簡単な操作により車両をにより駐車場に入庫でき、前記会員情報／車番ＤＢを更新できる。
【００１２】
本発明の実施形態に係る駐車場の運用方法は、入庫する車両の運転手の操作により入力された情報を基に前記特定入庫会員情報を入手する入庫会員情報入手工程と、前記特定入庫会員情報に基づき前記特定入庫車両の入庫を許可する第二入庫許可工程と、とを備え、前記入庫車番読み取り工程で前記特定入庫車両車番を読み取れなかったときに前記入庫会員情報入手工程と前記第二入庫許可工程とを実行する。
上記の実施形態の構成により、入庫会員情報入手工程で入庫する車両の運転手の操作により入力された情報を基に前記特定入庫会員情報を入手する。第二入庫許可工程で前記特定入庫会員情報に基づき前記特定入庫車両の入庫を許可する。前記入庫車番読み取り工程で前記特定入庫車両車番を読み取れなかったときに前記入庫会員情報入手工程と前記第二入庫許可工程とを実行する。
その結果、特定入庫車両車番を読み取れなかったときにも、車両の運転手の入力する情報により駐車場に入庫できる。
【００１３】
本発明の実施形態に係る駐車場の運用方法は、入庫する車両の運転手の操作により入力された情報を基に前記特定入庫会員情報を入手する入庫会員情報入手工程と、前記特定入庫会員情報に基づかずに駐車券を発行し前記特定入庫車両の入庫を許可する第三入庫許可工程と、を備え、前記入庫会員情報入手工程で前記特定入庫会員情報を入手できなかったときに第三入庫許可工程を実行する。
上記の実施形態の構成により、入庫会員情報入手工程で、入庫する車両の運転手の操作により入力された情報を基に前記特定入庫会員情報を入手する。第三入庫許可工程で、前記特定入庫会員情報に基づかずに駐車券を発行し前記特定入庫車両の入庫を許可する。前記入庫会員情報入手工程で前記特定入庫会員情報を入手できなかったときに第三入庫許可工程を実行する。
その結果、情報のない車両でも駐車場に入庫できる。
【００１４】
上記目的を達成するため、本発明に係る複数の利用者に各々に対応する複数の車両を入庫通路を通して入庫させ、出庫通路を通して出庫させる駐車場の運用方法であって、車番読み取り機器により出庫通路を通過する車両である特定出庫車両の車番である特定出庫車両車番を読み取る出庫車両車番読み取り工程と、前記特定出庫車両車番を基に前記特定出庫車両車番をもつ車両が駐車中であることを示す駐車記録を確認する駐車記録確認工程と、前記駐車記録を基に前記特定出庫車両の出庫を許可する第一出庫許可工程と、を備え、前記出庫車両車番読み取り工程が前記特定出庫車両車番を読み取れ、且つ前記駐車記録確認工程で前記駐車記録を確認したときに前記第一出庫許可工程を実行するものとする。
【００１５】
上記本発明の構成により、出庫車両車番読み取り工程が、車番読み取り機器により出庫通路を通過する車両である特定出庫車両の車番である特定出庫車両車番を読み取る。駐車記録確認工程が、前記特定出庫車両車番を基に前記特定出庫車両車番をもつ車両が駐車中であることを示す駐車記録を確認する。第一出庫許可工程が、前記駐車記録を基に前記特定出庫車両の出庫を許可する。前記出庫車両車番読み取り工程が前記特定出庫車両車番を読み取れ、且つ前記駐車記録確認工程で前記駐車記録を確認したときに前記第一出庫許可工程を実行する。
その結果、車両の運転手の操作を必要とせず、車両を出庫できる。
【００１６】
以下に、本発明の実施形態に係る駐車場の運用方法を説明する。本発明は、以下に記載した実施形態のいずれか、またはそれらの中の二つ以上が組み合わされた態様を含む。
【００１７】
本発明の実施形態に係る駐車場の運用方法は、前記特定出庫車両の運転手の操作により入力された情報を基に前記特定出庫車両を運転する会員の情報である特定出庫会員情報を入手する出庫会員情報入手工程と、前記特定出庫会員情報を基に前記特定出庫車両の出庫を許可する第二出庫許可工程と、を備え、前記出庫車両車番読み取り工程が前記特定出庫車両車番を読み取れなかったとき、又は前記駐車記録確認工程で前記駐車記録を確認でなかったときに、前記出庫会員情報入手工程と前記第二出庫許可工程とを実行する。
上記の実施形態の構成により、出庫会員情報入手工程が、前記特定出庫車両の運転手の操作により入力された情報を基に前記特定出庫車両を運転する会員の情報である特定出庫会員情報を入手する。第二出庫許可工程が、前記特定出庫会員情報を基に前記特定出庫車両の出庫を許可する。前記出庫車両車番読み取り工程が前記特定出庫車両車番を読み取れなかったとき、又は前記駐車記録確認工程で前記駐車記録を確認でなかったときに、前記出庫会員情報入手工程と前記第二出庫許可工程とを実行する。
その結果、車両の運転手の簡単な操作により車両を出庫できる。
【００１８】
本発明の実施形態に係る駐車場の運用方法は、前記特定出庫車両の運転手の操作により入力された情報を基に前記特定出庫車両を運転する会員の情報である特定出庫会員情報を入手する出庫会員情報入手工程と、前記特定出庫会員情報と前記特定出庫車両車番とを関連づけて前記会員情報／車番ＤＢに追加して前記会員情報／車番ＤＢを更新する会員情報／車番ＤＢ更新工程と、前記特定出庫会員情報を基に前記特定出庫車両の出庫を許可する第二出庫許可工程と、を備え、前記出庫車両車番読み取り工程が前記特定出庫車両車番を読み取れ、且つ前記駐車記録確認工程で前記駐車記録を確認でなかったときに、前記出庫会員情報入手工程と前記会員情報／車番ＤＢ更新工程と前記第二出庫許可工程とを実行する。
上記の実施形態の構成により、出庫会員情報入手工程が、前記特定出庫車両の運転手の操作により入力された情報を基に前記特定出庫車両を運転する会員の情報である特定出庫会員情報を入手する。会員情報／車番ＤＢ更新工程が、前記特定出庫会員情報と前記特定出庫車両車番とを関連づけて前記会員情報／車番ＤＢに追加して前記会員情報／車番ＤＢを更新する。第二出庫許可工程が、前記特定出庫会員情報を基に前記特定出庫車両の出庫を許可する。前記出庫車両車番読み取り工程が前記特定出庫車両車番を読み取れ、且つ前記駐車記録確認工程で前記駐車記録を確認でなかったときに、前記出庫会員情報入手工程と前記会員情報／車番ＤＢ更新工程と前記第二出庫許可工程とを実行する。
その結果、車両の運転手の簡単な操作により車両を出庫でき、且つ前記会員情報／車番ＤＢを更新できる。
【００１９】
本発明の実施形態に係る駐車場の運用方法は、前記特定出庫車両の運転手の操作により入力された情報を基に前記特定出庫車両を運転する会員の情報である特定出庫会員情報を入手する出庫会員情報入手工程と、前記特定出庫会員情報を基に前記特定出庫車両の出庫を許可する第二出庫許可工程と、を備え、前記出庫車両車番読み取り工程が前記特定出庫車両車番を読み取れなかったとき、前記出庫会員情報入手工程と第二出庫許可工程とを実行する、
上記の実施形態の構成により、出庫会員情報入手工程で、前記特定出庫車両の運転手の操作により入力された情報を基に前記特定出庫車両を運転する会員の情報である特定出庫会員情報を入手する。第二出庫許可工程で、前記特定出庫会員情報を基に前記特定出庫車両の出庫を許可する。前記出庫車両車番読み取り工程が前記特定出庫車両車番を読み取れなかったとき、前記出庫会員情報入手工程と第二出庫許可工程とを実行する。
その結果、車番を読み取れなかったとき、運転手の簡単な操作により車両を出庫できる。
【００２０】
本発明の実施形態に係る駐車場の運用方法は、前記特定出庫車両の運転手の操作により入力された情報を基に前記特定出庫車両を運転する会員の情報である特定出庫会員情報を入手する出庫会員情報入手工程と、前記特定会員情報に基づかずに駐車券を受領し特定出庫車両の出庫を許可する第三出庫許可工程と、を備え、前記出庫会員情報入手工程で前記特定出庫会員情報を入手できなかったときに第三出庫許可工程を実行する。
上記の実施形態の構成により、出庫会員情報入手工程で、前記特定出庫車両の運転手の操作により入力された情報を基に前記特定出庫車両を運転する会員の情報である特定出庫会員情報を入手する第三出庫許可工程で、前記特定会員情報に基づかずに駐車券を受領し特定出庫車両の出庫を許可する。前記出庫会員情報入手工程で前記特定出庫会員情報を入手できなかったときに第三出庫許可工程を実行する。情報のない車両でも駐車場を出庫できる。
【００２１】
本発明の実施形態に係る駐車場の運用方法は、前記特定出庫車両の運転手の操作により入力された情報を基に特定出庫会員情報を入手する出庫会員情報入手工程と、前記特定出庫会員情報を基に前記特定出庫車両の出庫を許可する第四出庫許可工程と、を備え、前記出庫会員情報入手工程と前記第四出庫許可工程とを実行する。
上記の実施形態の構成により、出庫会員情報入手工程が、出庫する車両である特定出庫車両の運転手の操作により入力された情報を基に特定出庫会員情報を入手する。第四出庫許可工程が、前記特定出庫会員情報を基に前記特定出庫車両の出庫を許可する。
前記出庫会員情報入手工程と前記第四出庫許可工程とを実行する。
その結果、運転手の簡単な操作により車両を駐車場から出庫できる。
【００２２】
本発明の実施形態に係る駐車場の運用方法は、前記特定出庫車両の運転手の操作により入力された情報を基に特定出庫会員情報を入手する出庫会員情報入手工程と、前記特定出庫会員情報に基づかずに駐車券を受領し前記特定出庫車両の出庫を許可する第五出庫許可工程と、を備え、前記出庫会員情報入手工程で前記特定出庫会員情報を入手できなかったとき前記第五出庫許可工程を実行する。
上記の実施形態の構成により、出庫会員情報入手工程で。出庫する車両である特定出庫車両の運転手の操作により入力された情報を基に特定出庫会員情報を入手する。第五出庫許可工程で、前記特定出庫会員情報に基づかずに駐車券を受領し前記特定出庫車両の出庫を許可する。前記出庫会員情報入手工程で前記特定出庫会員情報を入手できなかったとき前記第五出庫許可工程を実行する。
その結果、情報の登録されていない車両も駐車場から出庫できる。
【発明の効果】
【００２３】
以上説明したように、本発明に係る駐車場の運用方法は、その構成により、以下の効果を有する。
前記車番読み取り機器により入庫通路を通過する車両の特定入庫車両車番を読み取り、前記会員情報／車番ＤＢにアクセスして前記特定入庫車両車番に関連づけられた会員情報を特定入庫会員情報として抽出し、前記特定入庫会員情報に基づき前記特定入庫車両の入庫を許可する様にしたので、車両の運転手の特別の操作を必要とせずに、駐車場に入庫できる。
また、前記会員情報／車番ＤＢにアクセスして前記特定入庫車両車番に関連づけられた会員情報を抽出できなかったときに、入庫する車両の運転手の操作により入力された情報を基に前記特定入庫会員情報を入手し、前記特定入庫会員情報に基づき前記特定入庫車両の入庫を許可する様にしたので、前記入庫車両車番読み取り工程で車番を読み取れなかったとき、又は前記会員情報／車番ＤＢに前記特定入庫車両車番に関連づけられた会員情報が記録されていないときも、運転手の簡単な操作により車両を駐車場に入庫できる。
また、前記入庫車両車番読み取り工程で車番を読み取れ、且つ前記会員情報／車番ＤＢにアクセスして前記特定入庫車両車番に関連づけられた会員情報を抽出できなかったときに、入庫する車両の運転手の操作により入力された情報を基に前記特定入庫会員情報を入手し、前記会員情報／車番ＤＢを更新し、前記特定入庫会員情報に基づき前記特定入庫車両の入庫を許可する様にしたので、前記会員情報／車番ＤＢに前記特定入庫車両車番に関連づけられた会員情報が記録されていないときも、運転手の簡単な操作により車両をにより駐車場に入庫でき、前記会員情報／車番ＤＢを更新できる。
また、前記車番読み取り機器により入庫通路を通過する車両の特定入庫車両車番を読み取れなかったときに、入庫する車両の運転手の操作により入力された情報を基に前記特定入庫会員情報を入手し、前記特定入庫会員情報に基づき前記特定入庫車両の入庫を許可する様にしたので、特定入庫車両車番を読み取れなかったときにも、車両の運転手の入力する情報により駐車場に入庫できる。
また、入庫する車両の運転手の操作により入力された情報を基に前記特定入庫会員情報を入手できなかったとき、駐車券を発行し前記特定入庫車両の入庫を許可する様にしたので、会員情報のない車両でも駐車場に入庫できる。
また、車番読み取り機器により出庫通路を通過する車両の特定出庫車両車番を読み取れ、且つ、前記特定出庫車両車番を基に車両が駐車中であることを示す駐車記録を確認できたときに、前記駐車記録を基に前記特定出庫車両の出庫を許可する様にしたので、
車両の運転手の操作を必要とせず、車両を出庫できる。
また、前記特定出庫車両車番を基に車両が駐車中であることを示す駐車記録を確認できなかったときに、運転手の操作により入力された情報を基に前記特定出庫車両を運転する会員の情報である特定出庫会員情報を入手し、前記特定出庫会員情報を基に前記特定出庫車両の出庫を許可する様にしたので、車両の運転手の簡単な操作により車両を出庫できる。
また、車番読み取り機器により出庫通路を通過する車両の特定出庫車両車番を読み取れ、且つ駐車記録を確認できなかったとき、運転手の操作により入力された情報を基に前記特定出庫車両を運転する会員の情報である特定出庫会員情報を入手し、前記会員情報／車番ＤＢを更新し、前記特定出庫会員情報を基に前記特定出庫車両の出庫を許可する様にしたので、車両の運転手の簡単な操作により車両を出庫でき、且つ前記会員情報／車番ＤＢを更新できる。
また、車番読み取り機器により出庫通路を通過する車両の特定出庫車両車番を読み取れなかったとき、運転手の操作により入力された情報を基に前記特定出庫車両を運転する会員の情報である特定出庫会員情報を入手し、前記特定出庫会員情報を基に前記特定出庫車両の出庫を許可する様にしたので、車番を読み取れなかったとき、運転手の簡単な操作により車両を出庫できる。
また、運転手の操作により入力された情報を基によって前記特定出庫会員情報を入手できなかったとき、前記特定出庫会員情報に基づかずに駐車券を受領し特定出庫車両の出庫を許可する様にしたので、情報のない車両でも駐車場を出庫できる。
また、運転手の操作により入力された情報を基に特定出庫会員情報を入手し、、前記特定出庫会員情報を基に前記特定出庫車両の出庫を許可する様にしたので、運転手の簡単な操作により車両を駐車場から出庫できる。
また、運転手の操作により入力された情報を基に前記特定出庫会員情報を入手できなかったとき、駐車券を受領し前記特定出庫車両の出庫を許可する様にしたので、情報の登録されていない車両も駐車場から出庫できる。
従って、車両を駐車させるのに便利な駐車場の運用方法を提供できる。
【図面の簡単な説明】
【００２４】
【図１】本発明の実施形態に係る駐車場の運用方法の準備処理フロー図である。
【図２】本発明の第一の実施形態に係る駐車場の運用方法の入庫処理フロー図その１である。
【図３】本発明の第一の実施形態に係る駐車場の運用方法の出庫処理フロー図その２である。
【図４】本発明の第二の実施形態に係る駐車場の運用方法の入庫処理フロー図その３である。
【図５】本発明の第二の実施形態に係る駐車場の運用方法の出庫処理フロー図その１である。
【図６】自走式駐車場、機械式駐車場の概念図である。
【発明を実施するための形態】
【００２５】
以下、本発明を実施するための形態を、図面を参照して説明する。
図６は、自走式駐車場、機械式駐車場の概念図である。
【００２６】
本発明の実施形態にかかる駐車場の運用方法は、複数の利用者に各々に対応する複数の車両を入庫通路を通して各々に入庫させ、出庫通路を通して出庫させる方法でる。
駐車場は、自走式駐車場、または機械式駐車場である。
図６（Ａ）は、自走式駐車場の一例を示す。
図６（Ｂ）は、機械式駐車場の一例を示す。
【００２７】
自走式駐車場１０は、車両が自走して、駐車空間に入庫、または出庫させるものである。
入庫するときは車両は入庫通路３１を通って自走式駐車場１０に入る。自走式駐車場に駐車する。出庫するときは、出庫通路３２を通って自走式駐車場１０にから出庫する。
【００２８】
機械式駐車場２０は、車両を入出庫空間に置くと、その後、機械式駐車装置が車両を駐車空間に搬送して入庫または出庫させるものである。
車両は入出庫通路３０を通って機械式駐車場の入出庫空間に入る。機械式駐車場は車両を駐車させる。出庫要求があると、機械式駐車場が車両を入出庫空間に移動する。運転手が、入出庫空間に位置する車両に乗って、機械式駐車場からでる。
【００２９】
最初に、本発明の実施形態にかかる駐車場の運用方法を採用する駐車システムの一例を説明する。
駐車システムは、システムサーバ５０と駐車場１０、２０と電気通信機器（図示せず）とで構成される。
駐車システムは、システムサーバ５０と複数の駐車場１０、２０と電気通信機器とで構成されてもよい。
駐車システムは、システムサーバ５０と駐車場１０、２０と複数の電気通信機器とで構成されてもよい。
駐車システムは、システムサーバ５０と複数の駐車場１０、２０と複数の電気通信機器とで構成されてもよい。
システムサーバ５０は、通信網を介して複数の駐車場１０、２０と通信をする。電気通信機器は、通信網を介して複数の駐車場１０、２０と通信をする。または、電気通信機器は、複数の駐車場１０、２０と直接に通信をする
電気通信機器は、通信網を介して複数の駐車場と通信をする。または、電気通信機器は、複数の駐車場と直接に通信をする
【００３０】
システムサーバ５０は、電子通信回線を介して電気通信機器と通信できるものである。
システムサーバ５０は、電子通信網を介して電気通信機器と通信できてもよい。
例えば、電子通信網はインターネット、携帯電話網である。
システムサーバ５０は、駐車場を管理できる。
システムサーバ５０は、複数の駐車場を管理できてもよい。
システムサーバ５０は、ＣＰＵ、メモリ、記憶装置、各種のＩ／Ｏで構成される。
システムサーバ５０は、Ｉ／Ｏを介して通信網にアクセスできる。
システムサーバ５０は、サーバ用のソフトウエアがインストールされる。
システムサーバ用のソフトウエアは、システムサーバに各種の手順を実現させる。
システムサーバ５０は、複数の駐車場を集中管理できてもよい。
【００３１】
電気通信機器は、車両に乗る利用者の操作するものである。
電気通信機器は、通信網を介してシステムサーバ５０と通信できる。
電気通信機器は、ＣＰＵ、メモリ、記憶装置、各種のＩ／Ｏで構成される。
電気通信機器は、Ｉ／Ｏを介して通信網にアクセスできる。
電気通信機器は、電気通信機器用のソフトウエアがインストールされる。
電気通信機器用のソフトウエアは、電気通信機器に各種の手順を実現させる。
電気通信機器は、利用者により操作される。
例えば、電気通信機器は、スマートフォン、携帯タブレット、パソコン、等である。
例えば、電気通信機器は、ナビゲーション装置である。
【００３２】
以下に、本発明の第一の実施形態にかかる駐車場の運用方法を、図を基に、説明する。
図１は、本発明の実施形態に係る駐車場の運用方法の準備処理フロー図である。図２は、本発明の第一の実施形態に係る駐車場の運用方法の入庫処理フロー図その１である。図３は、本発明の第一の実施形態に係る駐車場の運用方法の出庫処理フロー図その２である。
本発明の第一の実施形態にかかる駐車場の運用方法は、自走式駐車場または機械式駐車場のどちらの運用にも使用できる。
【００３３】
本発明の実施形態に係る駐車場の運用方法は、準備工程と入庫工程と出庫工程とで構成される。
準備工程は、駐車場を運用するための準備をする工程である。
準備工程は、第一準備工程Ｓ１０と第二準備工程Ｓ２０とで構成されてもよい。
【００３４】
第一準備工程は、会員情報／車番ＤＢ準備工程Ｓ１１とで構成されてもよい。
会員情報／車番ＤＢ準備工程Ｓ１１は、予め会員の情報である会員情報と会員の運転する車両の車番とを関連づけて記録される会員情報／車番ＤＢを準備する工程である。
会員情報／車番ＤＢ準備工程Ｓ１１は、予め会員の情報である会員情報と会員の運転する車両の車番とを関連づけて記録される会員情報／車番ＤＢを記憶機器に準備する工程であってもよい。
会員情報／車番ＤＢ準備工程Ｓ１１は、予め会員の情報である会員情報と会員の運転する車両の車番とを関連づけて記録される会員情報／車番ＤＢをシステムサーバ５０の記憶機器に準備する工程であってもよい。
例えば、会員情報／車番ＤＢ準備工程Ｓ１１は、会員登録工程Ｓ１１−１と車番登録？工程Ｓ１１−２と会員情報／車番ＤＢ紐付け登録工程Ｓ１１−３と会員ＩＤ発行工程Ｓ１１−４と会員情報登録工程Ｓ１１−５とで構成される。
【００３５】
会員登録工程Ｓ１１−１は、会員情報を登録する工程である。
例えば、システムに会員情報を登録する。
例えば、会員情報の構成は、以下のとおりである。
会員ＩＤ（例えば、「Ｕ００００１」）
車番（例えば、「静岡ＸＸＸあＸＸ−ＸＸ」）
駐車場情報（例えば、「なし」、「あり」）
料金ステータス（例えば、「なし」、「精算済み」）
【００３６】
車番登録？工程Ｓ１１−２は、会員の運転する車番を登録するか否かを判断する工程である。
例えば、運転手に会員の運転する車番を登録するか否かを判断させる。
車番を登録すると決定したとき、会員情報／車番ＤＢ紐付け登録工程Ｓ１１−３を実行する。
車番を登録しないと決定したとき、会員情報登録工程Ｓ１１−５を実行する。
【００３７】
会員情報／車番ＤＢ紐付け登録工程Ｓ１１−３は、会員の情報である会員情報と会員の運転する車両の車番とを紐づけて登録する工程である。
例えば、会員の情報である会員情報と会員の運転する車両の車番とを紐づけた会員情報を会員情報／車番ＤＢに追記する。
【００３８】
会員ＩＤ発行工程Ｓ１１−４は、車両の運転手に会員ＩＤを発行する工程である。
例えば、会員ＩＤを運転手のモバイル転送する。
【００３９】
会員情報登録工程Ｓ１１−５は、車番を除く会員情報を登録する工程である。
例えば、車番データを空白にした会員情報を会員情報／車番ＤＢに追記する。
【００４０】
第二準備工程Ｓ２０は、車番読み取り機器準備工程Ｓ２１を有していてもよい。
車番読み取り機器準備工程Ｓ２１は、予め入庫通路または出庫通路を通過する車両の車番を読み取り可能な車番読み取り機器４０を準備する工程である。
自走式駐車場または機械式駐車場は、入庫通路と出庫通路をもつ。
自走式駐車場では、車両は、一般車道から入庫通路を通して入出庫扉を通過して駐車空間に入る、車両は入出庫扉を通過して、駐車空間からでて、出庫通路を通って一般車道にでる。
機械式駐車場では、車両は、一般車道から入庫通路を通して入出庫扉を通過して、入出庫空間に入る。車両は、入出庫扉を通過して入出庫空間をでて、出庫通路を通って一般車道にでる。
車番読み取り機器４０は、入庫通路を走行中の車両の車番を読み取れる。
車番読み取り機器４０は、出庫通路を走行する車両の車番を読み取れる。
【００４１】
入庫工程は、車両を駐車場に入庫させて、入庫した車両を駐車させる工程である。
入庫工程は、第一入庫工程Ｓ１３０で構成される。
入庫工程は、第一入庫工程Ｓ１３０と第二入庫工程Ｓ１４０とで構成されてもよい。
入庫工程は、第一入庫工程Ｓ１３０と第三入庫工程Ｓ１５０とで構成されてもよい。
入庫工程は、第一入庫工程Ｓ１３０と第二入庫工程Ｓ１４０と第三入庫工程Ｓ１５０とで構成されてもよい。
【００４２】
最初に、第一入庫工程Ｓ１３０を説明する。
第一入庫工程Ｓ１３０は、車両の車番を読み取り、読み取った車番を基に車両を入庫させる工程である。
第一入庫工程Ｓ１３０は、入庫車両車番読み取り工程Ｓ１３１と入庫会員情報抽出工程Ｓ１３２と第一入庫許可工程Ｓ１３３とを順に実行する。
【００４３】
入庫車両車番読み取り工程Ｓ１３１は、車番読み取り機器４０により入庫通路を通過する車両である特定入庫車両の車番である特定入庫車両車番を読み取る工程である。
例えば、入庫車両車番読み取り工程Ｓ１３１は、車番読み取り工程Ｓ１３１−１と読み取り出来たか？工程Ｓ１３１−２とで構成される。
【００４４】
車番読み取り工程Ｓ１３１−１は、車番読み取り機器４０により入庫通路を通過する車両での車番を読み取る。
車番読み取り機器４０により入庫通路を通過する車両での車番を読み取り、読み取った車番を特定入庫車両車番として取り込む。
【００４５】
読み取り出来たか？工程Ｓ１３１−２は、車番の読み取りを成功したか否かを判定する。
車番の読み取りを成功したとき、入庫会員情報抽出工程Ｓ１３２を実行する。
車番の読み取りを成功しなかったとき、第二入庫工程Ｓ１４０を実行してもよい。
【００４６】
入庫会員情報抽出工程Ｓ１３２は、会員情報／車番ＤＢにアクセスして特定入庫車両車番に関連づけられた会員情報を特定入庫車両を運転する会員の情報である特定入庫会員情報として抽出する工程である。
例えば、入庫会員情報抽出工程Ｓ１３２は、入庫問い合わせ工程Ｓ１３２−１とシステム／会員情報検索工程Ｓ１３２−２とシステム／会員情報あり？工程Ｓ１３２−３とで構成される。
【００４７】
このとき、システムサーバ５０には以下の会員情報が車番と関連づけられて記録される。
会員ＩＤ（例えば、「Ｕ００００１」）
車番（「静岡ＸＸＸあＸＸ−ＸＸ」）
ステータス（「なし」）
駐車場情報（「なし」）
料金ステータス（「なし」）
または、システムサーバ５０には以下の会員情報が車番と関連づけられずに記録される。
会員ＩＤ（例えば、「Ｕ００００１」）
車番（「なし」）
ステータス（「なし」）
駐車場情報（「なし」）
料金ステータス（「なし」）
【００４８】
入庫問い合わせ工程Ｓ１３２−１では、駐車場がシステムサーバへ車番を送信する。
駐車場がシステムへ特定入庫車両車番へ送信して問い合わせる。
例えば、駐車場がシステムへ送信するデータは以下の通りである。
会員ＩＤ（「なし」）
車番（例えば、「静岡ＸＸＸあＸＸ−ＸＸ」）
【００４９】
システム／会員情報検索工程Ｓ１３２−２では、システムサーバが会員情報／車番ＤＢにアクセスして車番を基に会員情報を検索する。
ヒットした会員情報を特定入庫会員情報として取りあつかう。
特定入庫会員情報は、特定入庫車両を運転する会員の情報である。
【００５０】
システム／会員情報あり？工程Ｓ１３２ー３では、特定入庫会員情報をヒットしたか否かを判定する。
特定入庫会員情報をヒットしたとき、第一入庫許可工程Ｓ１３３を実行する。
特定入庫会員情報をヒットしなかったとき、後述する第二入庫工程１４０または第三入庫工程Ｓ１５０のどちらか一方を実行してもよい。
【００５１】
第一入庫許可工程Ｓ１３３は、特定入庫会員情報に基づき特定入庫車両の入庫を許可する工程である。
例えば、第一入庫許可工程Ｓ１３３は、駐車設備／会員情報取得工程Ｓ１３３−１と入庫許可工程Ｓ１３３−２とで構成される。
【００５２】
駐車設備／会員情報取得工程Ｓ１３３−１では、システムサーバが入庫許可を駐車場へ送信する。
システムサーバが駐車場に送る情報は以下のとおり。
会員ＩＤ（例えば、「Ｕ００００１」）
入庫許可
【００５３】
入庫許可工程Ｓ１３３−２では、駐車場が入庫許可を出す。
駐車場がシステムサーバ５０から情報を受け取り、運転手を既に会員登録しているお客様と判断し、入庫を許可する。
駐車場は入庫ゲートを開けて特定入庫車両の入庫を許し、入庫が完了すると入庫ゲートを閉める。
駐車場は、ローカル情報にお客様情報を登録する。お客様情報は以下の通り。
会員ＩＤ（例えば、「Ｕ００００１」）
車番（例えば、「静岡ＸＸＸあＸＸ−ＸＸ」）
システムサーバは、会員情報のステータスを「駐車中」に変更する。
システムサーバは、会員情報に利用駐車場情報を登録する。
結果として、会員情報は以下のとおりになる。
会員ＩＤ（例えば、「Ｕ００００１」）
車番（例えば、「静岡ＸＸＸあＸＸ−ＸＸ」）
ステータス（「利用中」）
駐車場情報（「Ｐ０００１」）
料金ステータス（「未精算」）
【００５４】
次に、第二入庫工程Ｓ１４０を説明する。
第二入庫工程Ｓ１４０は、車両の車番を読み取れない場合、またはシステムサーバ５０に会員情報がない場合に、車両を入庫させる工程である。
第二入庫工程Ｓ１４０は、入庫会員情報抽出工程Ｓ１３２で特定入庫会員情報を抽出できなかったときに、入庫会員情報入手工程Ｓ１４１と第二入庫許可工程Ｓ１４３とを順に実行してもよい。
第二入庫工程Ｓ１４０は、入庫車両車番読み取り工程Ｓ１３１で車番を読み取れなかったとき、又は入庫会員情報抽出工程Ｓ１３２で特定入庫会員情報を抽出できなかったときに、入庫会員情報入手工程Ｓ１４１と第二入庫許可工程Ｓ１４３とを順に実行してもよい。
第二入庫工程Ｓ１４０は、入庫車両車番読み取り工程Ｓ１３１で車番を読み取れ、且つ入庫会員情報抽出工程Ｓ１３２で特定入庫会員情報を抽出できなかったときに、入庫会員情報入手工程Ｓ１４１と入庫時会員情報／車番ＤＢ更新工程Ｓ１４２と第二入庫許可工程Ｓ１４３とを順に実行してもよい。
第二入庫工程Ｓ１４０は、入庫車番読み取り工程Ｓ１３１で特定入庫車両車番を読み取れなかったときに入庫会員情報入手工程Ｓ１４１と第二入庫許可工程Ｓ１４３とを順に実行してもよい。
【００５５】
入庫会員情報入手工程Ｓ１４１は、入庫する車両の運転手の操作により入力された情報を基に特定入庫会員情報を入手する工程である。
例えば、運転手の操作は、電気通信機器で行う認証のための操作である。
例えば、入庫会員情報入手工程Ｓ１４１は、駐車券発行／モバイル端末認証指示工程Ｓ１４１−１と操作？工程Ｓ１４１−２とモバイル情報読み取り工程Ｓ１４１−３と入庫問い合わせ工程Ｓ１４１−４と会員情報取得工程Ｓ１４１−５とで構成される。
【００５６】
駐車券発行／モバイル端末認証指示工程Ｓ１４１−１は、車両の運転手にモバイル端末認証を促す工程である。
駐車券発行／モバイル端末認証指示工程Ｓ１４１−１は、車両の運転手に駐車券の発行、またはモバイル端末認証のどちらか一方を促す工程であってもよい。
駐車場が、入庫する車両の運転手に駐車券の発行、またはモバイル端末認証を促す。
【００５７】
操作？工程Ｓ１４１−２では、駐車場が利用者の操作が駐車券発行またはモバイル端末認証の何方かを判定する。
駐車場が、入庫しようとする車両の運転手の操作を基に、駐車券発行かモバイル端末認証かを判定する。
駐車券発行と判定すると、第三入庫許可工程Ｓ１５１を実行する。
モバイル端末認証と判定すると、モバイル情報読み取り工程Ｓ１４１−３を実行する。
【００５８】
モバイル情報読み取り工程Ｓ１４１−３では、駐車場がモバイル認証により会員の情報を読み取る。
駐車場が、モバイル認証により入庫車両の会員ＩＤを読み取る。
読み取った情報は、以下のとおり。
会員ＩＤ（例えば、「Ｕ００００１」）
【００５９】
入庫問い合わせ工程Ｓ１４１−４では、駐車場がシステムサーバ５０へ入庫許可を問い合わせする。
駐車場が、システムサーバ５０へ会員から読み取った情報を送り入庫許可を問い合わせる。
送った情報は、以下のとおり。
会員ＩＤ（例えば、「Ｕ００００１」）
【００６０】
会員情報取得工程Ｓ１４１−５では、システムサーバが会員情報を取得する。
システムサーバが、会員ＩＤを基に会員情報を取得する。
取得した会員情報は以下のとおり。
会員ＩＤ（例えば、「Ｕ００００１」）
車番（「静岡ＸＸＸあＸＸ−ＸＸ」）
ステータス（「未使用」）
駐車場情報（「なし」）
料金ステータス（「なし」）
または、
会員ＩＤ（例えば、「Ｕ００００１」）
車番（なし）
ステータス（「未使用」）
駐車場情報（「なし」）
料金ステータス（「なし」）
【００６１】
入庫時会員情報／車番ＤＢ更新工程Ｓ１４２は、特定入庫会員情報と特定入庫車番とを関連づけて会員情報／車番ＤＢに追記して会員情報／車番ＤＢを更新する工程である。
例えば、入庫時会員情報／車番ＤＢ更新工程Ｓ１４２は、会員の車番登録済？工程Ｓ１４２−１と車番読み取りデータ有り？工程Ｓ１４２−２と会員情報／車番紐づけ工程Ｓ１４２−３とで構成される。
【００６２】
会員の車番登録済？工程Ｓ１４２−１は、システムサーバが、会員の車番が登録されているか否かを判定する。
システムサーバが会員の車番が会員情報／車番ＤＢに登録されているか否かを判定する。
会員の車番が会員情報／車番ＤＢに登録されているとき、第二入庫許可工程Ｓ１４３を実行する。
会員の車番が会員情報／車番ＤＢに登録されていないとき、車番読み取りデータ有り？工程Ｓ１４２−２を実行する。
【００６３】
車番読み取りデータ有り？工程Ｓ１４２−２では、システムサーバが読み取った車番があるかいかなかを判定する。
システムサーバが駐車場から受け取った情報に車番が含まれるか否かを判定する。
駐車場から受け取った情報に車番が含まれるとき、会員情報／車番紐づけ工程Ｓ１４２−３を実行する。
駐車場から受け取った情報に車番が含まれないとき、第二入庫許可工程Ｓ１４３を実行する。
【００６４】
会員情報／車番紐づけ工程Ｓ１４２−３では、会員情報と車番を紐づけて会員情報／車番ＤＢに追記して、会員情報／車番ＤＢを更新する。
【００６５】
第二入庫許可工程Ｓ１４３は、特定入庫会員情報に基づき特定入庫車両の入庫を許可する工程である。
例えば、第二入庫許可工程Ｓ１４３は、会員情報取得工程Ｓ１４３−１と入庫許可工程Ｓ１４３−２とで構成される。
【００６６】
会員情報取得工程Ｓ１４３−１では、駐車場がシステムサーバから会員情報を取得する。
駐車場がシステムサーバから会員情報と入庫許可を受けとる。
会員情報を入庫許可は以下のとおり。
会員ＩＤ（例えば、「Ｕ００００１」）
車番（例えば、「静岡ＸＸＸあＸＸ−ＸＸ」）
入居許可
または、
会員ＩＤ（例えば、「Ｕ００００１」）
車番（「なし」）
入居許可
【００６７】
入庫許可工程Ｓ１４３−２では、駐車場が入庫許可を出す。
駐車場がシステムサーバから情報を受け取り、入庫を許可する。
駐車場は、入庫ゲートを開けて特定入庫車両の入庫を許し、入庫が完了すると入庫ゲートを閉める。
駐車場は、ローカル情報にお客様情報を登録する。お客様情報は以下の通り。
会員ＩＤ（例えば、「Ｕ００００１」）
車番（例えば、「静岡ＸＸＸあＸＸ−ＸＸ」）
又は、
会員ＩＤ（例えば、「Ｕ００００１」）
車番（「未登録」）
システムサーバは、会員情報のステータスを「駐車中」に変更する。
システムサーバは、会員情報に利用駐車場情報を登録する。
結果として、会員情報は以下のとおり。
会員ＩＤ（例えば、「Ｕ００００１」）
車番（例えば、「静岡ＸＸＸあＸＸ−ＸＸ」）
ステータス（「利用中」）
駐車場情報（「Ｐ０００１」）
料金ステータス（「未精算」）
または、
会員ＩＤ（例えば、「Ｕ００００１」）
車番（「未登録」）
ステータス（「利用中」）
駐車場情報（「Ｐ０００１」）
料金ステータス（「未精算」）
【００６８】
次に、第三入庫工程Ｓ１５０を説明する。
第三入庫工程Ｓ１５０は、入庫車両の運転手が駐車券による駐車を選択したときにする入庫の工程である。
【００６９】
第三入庫工程Ｓ１５０は、入庫会員情報入手工程Ｓ１４１で特定入庫会員情報を入手できなかったときに第三入庫許可工程Ｓ１５１を実行する工程である。
第三入庫工程Ｓ１５０は、入庫車両車番読み取り工程Ｓ１３１で入庫車両車番を読み取れなかったとき、または入庫会員情報抽出工程Ｓ１３２で特定入庫会員情報を抽出できなかったときに入庫会員情報入手工程Ｓ１４１を実行し、入庫会員情報入手工程Ｓ１４１で特定入庫会員情報を入手できなかったときに、第三入庫許可工程を実行する工程であってもよい。
【００７０】
第三入庫許可工程Ｓ１５１は、特定入庫会員情報に基づかずに、駐車券を発行し特定入庫車両の入庫を許可する。
例えば、第三入庫許可工程Ｓ１５１は、入庫許可工程Ｓ１５１−１で構成される。
【００７１】
入庫許可工程Ｓ１５１−１では、駐車場が駐車券を出して、入庫を許可する。
駐車場は、入庫車両の運転手に駐車券を発行し、入庫ゲートを開けて特定入庫車両の入庫を許し、入庫が完了すると入庫ゲートを閉める。
駐車場は、ローカル情報にお客様情報を登録する。お客様情報は以下の通り。
会員ＩＤ（「なし」）
車番（「未登録」）
システムサーバは、会員情報のステータスを「駐車中」に変更する。
システムサーバは、会員情報に利用駐車場情報を登録する。
結果として、会員情報は以下のとおり。
会員ＩＤ（「なし」）
車番（「未登録」）
ステータス（「利用中」）
駐車場情報（「Ｐ０００１」）
料金ステータス（「未精算」）
【００７２】
次に、出庫工程を説明する。
出庫工程は、駐車場に駐車していた車両を出庫させる工程である。
出庫工程は、第一出庫工程Ｓ１６０で構成される。
出庫工程は、第一出庫工程Ｓ１６０と第二出庫工程Ｓ１７０とで構成されてもよい。
出庫工程は、第一出庫工程Ｓ１６０と第三出庫工程Ｓ１８０とで構成されてもよい。
出庫工程は、第一出庫工程Ｓ１６０と第二出庫工程Ｓ１７０と第三出庫工程Ｓ１８０とで構成されてもよい。
【００７３】
最初に、第一出庫工程Ｓ１６０を説明する。
第一出庫工程Ｓ１６０は、車両の車番を読み取り、読み取った車番を基に車両を出庫される工程である。
第一出庫工程Ｓ１６０は、出庫車両車番読み取り工程Ｓ１６１と駐車記録確認工程Ｓ１６２と第一出庫許可工程Ｓ１６３とを順に実行する。
【００７４】
出庫車両車番読み取り工程Ｓ１６１は、車番読み取り機器４０により出庫通路を通過する車両である特定出庫車両の車番である特定出庫車両車番を読み取る工程である。
例えば、出庫車両車番読み取り工程Ｓ１６１は、車番読み取り工程Ｓ１６１−１と読み取り出来たか？工程Ｓ１６１−２とで構成される。
【００７５】
車番読み取り工程Ｓ１６１−１では、車番読み取り機器４０により出庫通路を通過する車両の車番を読み取る。
車番読み取り機器４０により出庫通路を通過する車両の車番を読み取り、読み取った車番を特定出庫車両車番として取り込む。
【００７６】
読み取り出来たか？工程Ｓ１６１−２では、車番の読み取りを成功したか否かを判定する。
車番の読み取りを成功したとき、駐車記録確認工程Ｓ１６２を実行する。
車番の読み取りを成功しなかったとき、第二出庫工程Ｓ１７０を実行する。
【００７７】
駐車記録確認工程Ｓ１６２は、特定出庫車両車番を基に特定出庫車両車番をもつ車両が駐車中であることを示す駐車記録を確認する工程である。
例えば、駐車記録確認工程Ｓ１６２は、ローカル情報検索工程Ｓ１６２−１と出庫問い合わせ工程Ｓ１６２−２と会員情報取得工程Ｓ１６２−３とで構成される。
【００７８】
このとき、システムには以下の会員情報が記録される。
会員ＩＤ（例えば、「Ｕ００００１」）
車番（例えば、「静岡ＸＸＸあＸＸ−ＸＸ」）
ステータス（「利用中」）
駐車場情報（例えば、「Ｐ０００１」）
料金ステータス（「未精算」）
【００７９】
ローカル情報検索工程Ｓ１６２−１では、ローカル情報に記録される駐車情報を検索する。
駐車場が、車番を基にローカル情報に登録されるお客さま情報を検索する。
ここで、お客様情報は以下のとおり。
会員ＩＤ（例えば、「Ｕ００００１」）
車番（例えば、「静岡ＸＸＸあＸＸ−ＸＸ」）
または、
会員ＩＤ（「なし」）
車番（例えば、「静岡ＸＸＸあＸＸ−ＸＸ」）
会員ＩＤがないとき、後述する第二出庫工程Ｓ１７０を実行する。
会員ＩＤがあるとき、出庫問い合わせ工程Ｓ１６２−２を実行する。
【００８０】
出庫問い合わせ工程Ｓ１６２−２は、駐車場がシステムサーバに出庫の問い合わせをする工程である。
駐車場が、会員ＩＤと車番とをシステムサーバに送信し、出庫の可否を問い合わせする。
【００８１】
会員情報取得工程Ｓ１６２−３は、会員ＩＤと車番とを基に会員情報を取得し、出庫許可を判断する。
システムサーバが、会員ＩＤと車番とを基に会員情報を取得し、駐車料金の精算をおこない、出庫許可を決定し、出庫許可を駐車場に送信する。
【００８２】
第一出庫許可工程１６３は、駐車記録を基に特定出庫車両の出庫を許可する工程である。
例えば、第一出庫許可工程１６３は、出庫許可工程Ｓ１６３−１で構成される。
出庫許可工程Ｓ１６３−１では、駐車場が出庫許可を出す。
ローカル情報のお客様情報は、以下のとおり。
会員ＩＤ（「なし」）
車番（「なし」）
システムサーバの会員情報のステータスを「なし」に変更する。
システムサーバは、会員情報に利用駐車場情報を登録する。
結果として、会員情報は以下のとおり。
会員ＩＤ（例えば、「Ｕ００００１」）
車番（例えば、「静岡ＸＸＸあＸＸ−ＸＸ」）
ステータス（「未使用」）
駐車場情報（「なし」）
料金ステータス（「なし」）
【００８３】
第二出庫工程Ｓ１７０は、出庫車両車番読み取り工程Ｓ１６１で特定出庫車両車番を読み取れなかったとき、又は駐車記録確認工程Ｓ１６２で駐車記録を確認でなかったときに、出庫会員情報入手工程Ｓ１７１と第二出庫許可工程Ｓ１７４とを実行する工程である。
第二出庫工程Ｓ１７０は、出庫車両車番読み取り工程Ｓ１６１で特定出庫車両車番を読み取れなかったとき、又は駐車記録確認工程Ｓ１６２で駐車記録を確認でなかったときに、出庫会員情報入手工程Ｓ１７１と駐車料金精算工程Ｓ１７２と第二出庫許可工程Ｓ１７４とを実行する工程であってもよい。
第二出庫工程Ｓ１７０は、出庫車両車番読み取り工程Ｓ１６１で特定出庫車両車番を読み取れ、且つ駐車記録確認工程Ｓ１６２で駐車記録を確認でなかったときに、出庫会員情報入手工程Ｓ１７１と出庫時会員情報／車番ＤＢ更新工程Ｓ１７３と第二出庫許可工程Ｓ１７４とを実行してもよい。
第二出庫工程Ｓ１７０は、出庫車両車番読み取り工程Ｓ１６１で特定出庫車両車番を読み取れ、且つ駐車記録確認工程Ｓ１６２で駐車記録を確認でなかったときに、出庫会員情報入手工程Ｓ１７１と駐車料金精算工程Ｓ１７２と出庫時会員情報／車番ＤＢ更新工程Ｓ１７３と第二出庫許可工程Ｓ１７４とを実行してもよい。
第二出庫工程Ｓ１７０は、出庫車両車番読み取り工程Ｓ１６１で特定出庫車両車番を読み取れなかったとき、出庫会員情報入手工程Ｓ１７１と第二出庫許可工程Ｓ１７４とを実行してもよい。
【００８４】
出庫会員情報入手工程Ｓ１７１は、特定出庫車両の運転手の操作により入力された情報を基に特定出庫会員情報を入手する工程である。
特定出庫会員情報は、特定出庫車両を運転する会員の情報である。
例えば、出庫会員情報入手工程Ｓ１７１は、駐車券発行／モバイル端末認証指示工程Ｓ１７１−１と操作？工程Ｓ１７１−２とモバイル情報読み取り工程Ｓ１７１−３とローカル情報検索工程Ｓ１７１−４と出庫問い合わせ工程Ｓ１７１−５とシステム／会員情報取得工程Ｓ１７１−６とで構成される。
【００８５】
駐車券発行／モバイル端末認証指示工程Ｓ１７１−１は、駐車券の発行、またはモバイル端末認証のどちらかの操作を促す工程である。
駐車場が出庫する車両の運転手に駐車券の発行、またはモバイル端末認証を促す。
【００８６】
操作？工程Ｓ１７１−２では、駐車場が利用者の操作が駐車券発行またはモバイル端末認証の何方かを判定する。
駐車場が、出庫しようとする車両の運転手の操作を基に、駐車券発行かモバイル端末認証かを判定する。
駐車券発行と判定すると、後述する第三出庫工程Ｓ１８０を実行する。
モバイル端末認証と判定すると、モバイル情報読み取り工程Ｓ１７１−３を実行する。
【００８７】
モバイル情報読み取り工程Ｓ１７１−３は、駐車場がモバイル認証により会員の情報を読み取る。
駐車場が、モバイル認証により入庫車両の会員ＩＤを読み取る。
読み取った情報は、以下のとおり。
会員ＩＤ（例えば、「Ｕ００００１」）
【００８８】
ローカル情報検索工程Ｓ１７１−４は、ローカル情報を検索し、出庫する会員のお客様情報があるか否かを判定する。
駐車場が、ローカル情報を検索し、出庫する会員のお客様情報があるか否かを判定する。
お客様情報がないとき、駐車券発行／モバイル端末認証指示工程Ｓ１７１−１を再度実行する。
お客様情報があるとき、出庫問い合わせ工程Ｓ１７１−５を実行する。
【００８９】
出庫問い合わせ工程Ｓ１７１−５では、駐車場が、システムサーバに会員ＩＤを送信し、出庫許可の可否を問いあわせる。
駐車場が、システムサーバに会員ＩＤを送信し、出庫許可の可否を問いあわせる。
【００９０】
システム／会員情報取得工程Ｓ１７１−６では、システムサーバ５０が会員ＩＤを基に会員情報を取得する。
システムサーバ５０が、会員ＩＤを基に会員情報／車番ＤＢを検索し、会員ＩＤの一致する会員情報を取得する。
【００９１】
駐車料金精算工程Ｓ１７２では、特定出庫会員情報を基に特定出庫車両の駐車料金の精算をする。
例えば、  駐車料金精算工程Ｓ１７２は、料金ステータス？工程Ｓ１７２−１と料金精算工程Ｓ１７２−２とで構成される。
【００９２】
料金ステータス？工程Ｓ１７２−１では、駐車料金が精算済みが未精算かを判定する。
システムサーバ５０は、取得した会員情報を基に、駐車料金が精算済みが未精算かを判定する。
駐車賞金が精算済みであるとき、出庫時会員情報／車番ＤＢ更新工程Ｓ１７３または第二出庫許可工程Ｓ１７４を実行する。
駐車賞金が未精算であるとき、料金精算工程Ｓ１７２−２を実行する。
【００９３】
料金精算工程Ｓ１７２−２は、会員情報を基に駐車料金を精算する。
システムサーバが、会員情報を基に駐車料金を精算する。
その結果、会員情報の料金ステータスが「未精算」から「精算済み」に変更される。
【００９４】
出庫時会員情報／車番ＤＢ更新工程Ｓ１７３は、特定出庫会員情報と特定出庫車両車番とを関連づけて会員情報／車番ＤＢに追加して会員情報／車番ＤＢを更新する工程である。
例えば、出庫時会員情報／車番ＤＢ更新工程Ｓ１７３は、会員の車番登録済？工程Ｓ１７３−１と車番読み取りデータ有り？工程Ｓ１７３−２と会員情報／車番紐づけ工程Ｓ１７３−３とで構成される。
【００９５】
会員の車番登録済？工程Ｓ１７３−１は、システムサーバ５０が、会員の車番が登録されているか否かを判定する。
システムサーバが会員の車番が会員情報／車番ＤＢに登録されているか否かを判定する。
会員の車番が会員情報／車番ＤＢに登録されているとき、第二出庫許可工程Ｓ１７４を実行する。
会員の車番が会員情報／車番ＤＢに登録されていないとき、車番読み取りデータ有り？工程Ｓ１７３−２を実行する。
【００９６】
車番読み取りデータ有り？工程Ｓ１７３−２では、システムサーバ５０が読み取った車番があるか否かを判定する。
システムサーバ５０が、駐車場から受け取った情報に車番が含まれるか否かを判定する。
駐車場から受け取った情報に車番が含まれるとき、会員情報／車番紐づけ工程Ｓ１７３−３を実行する。
駐車場から受け取った情報に車番が含まれないとき、第二出庫許可工程Ｓ１７４を実行する。
【００９７】
会員情報／車番紐づけ工程Ｓ１７３−３では、会員情報と車番を紐づけて会員情報／車番ＤＢに追記して、会員情報／車番ＤＢを更新する。
【００９８】
第二出庫許可工程Ｓ１７４は、特定出庫会員情報を基に特定出庫車両の出庫を許可する工程である。
例えば、第二出庫許可工程Ｓ１７４は、システム／出庫許可送信工程Ｓ１７４−１と出庫許可工程Ｓ１７４−２とで構成される。
【００９９】
システム／出庫許可送信工程Ｓ１７４−１では、システムサーバが駐車場に出庫許可をお送信する。
システムサーバが駐車場に会員ＩＤと出庫許可を送信する。
【０１００】
出庫許可工程Ｓ１７４−２では、駐車場が出庫許可を出す。
駐車場が、出庫扉を開いて、車両の出庫を許す。
ローカル情報のお客様情報は、以下のとおり。
会員ＩＤ（「なし」）
車番（「なし」）
システムサーバの会員情報のステータスを「なし」に変更する。
システムサーバは、会員情報に利用駐車場情報を登録する。
結果として、会員情報は以下のとおり。
会員ＩＤ（例えば、「Ｕ００００１」）
車番（例えば、「静岡ＸＸＸあＸＸ−ＸＸ」）
ステータス（「未使用」）
駐車場情報（「なし」）
料金ステータス（「なし」）
【０１０１】
次に、第三出庫工程Ｓ１８０を説明する。
第三出庫工程Ｓ１８０は、出庫車両の運転手が入庫時に駐車券による駐車を選択したときにする入庫の工程である。
【０１０２】
第三出庫工程Ｓ１８０は、出庫会員情報入手工程Ｓ１７１で特定出庫会員情報を入手できなかったときに第三出庫許可工程Ｓ１８１を実行する。
第三出庫工程Ｓ１８０は、出庫車両車番読み取り工程Ｓ１６１で特定出庫車両車番を読み取れない、または駐車記録確認工程Ｓ１６２で駐車記録を確認できないときに、出庫会員情報入手工程Ｓ１７１を実行し、出庫会員情報入手工程Ｓ１７１で特定出庫会員情報を入手できなかったときに第三出庫許可工程Ｓ１８１を実行してもよい。
第三出庫許可工程１８１は、特定会員情報に基づかずに駐車券を受領し特定出庫車両の出庫を許可する工程である。
例えば、第三出庫許可工程Ｓ１８１は、駐車料金精算工程Ｓ１８１−１と出庫許可工程Ｓ１８１−２とで構成される。
【０１０３】
駐車料金精算工程Ｓ１８１−１では、駐車券の情報を基に、駐車料金を精算する。
システムサーバは、駐車券の情報を基に、駐車料金を精算する。
【０１０４】
出庫許可工程Ｓ１８１−２は、駐車場が出庫許可を出す。
駐車場が、出庫扉を開いて、車両の出庫を許す。
ローカル情報のお客様情報は、以下のとおり。
会員ＩＤ（「なし」）
車番（「なし」）
【０１０５】
次に、本発明の第一の実施形態の駐車場の運用方法を作用した駐車場の作用を、入庫手順と駐車手順と出庫手順とに分けて、説明する。
【０１０６】
最初に入庫手順を説明する。
車両が入庫通路３１を走行する。
車番読み取り機器４０が入庫通路３１を走行する車両の車番を読み取る。
会員情報／車番ＤＢで車番と会員情報とが関連づけられているとき、駐車場は会員情報を基に駐車管理し、車両を入庫される。
車番読み取り機器４０が入庫通路３１を走行する車両の車番を読み取れなかったとき、または車番と会員情報とが関連づけられていないとき、駐車場は車両の運転手にモバイル認証を求める。
モバイル認証ができると、モバイル認証で得た情報を基に会員情報を入手し、駐車場は会員情報を基に駐車管理して、車両を入庫させる。車番が判明していて、会員情報／車番ＤＢで車番と会員情報とが関連づけられていないとき、会員情報／車番ＤＢで車番と会員情報とが関連づける。
利用者がモバイル認証をしないとき、駐車場は、駐車券を発行し、車両を入庫させる。
【０１０７】
駐車手順では、車両を駐車空間に駐車させる。
【０１０８】
次に、出庫手順を説明する。
車両が、駐車空間を出て出庫通路３２を走行する。
車番読み取り機器４０が出庫通路３２を走行する車両の車番を読み取る。
会員情報／車番ＤＢで車番と会員情報とが関連づけられているとき、駐車場は会員情報を基に駐車管理し、車両を出庫される。出庫の際に駐車料金の精算処理をおこなう。
車番読み取り機器４０が入庫通路３１を走行する車両の車番を読み取れなかったとき、または車番と会員情報とが関連づけられていないとき、駐車場は車両の運転手にモバイル認証を求める。
モバイル認証ができると、モバイル認証で得た情報を基に会員情報を入手し、駐車場は会員情報を基に駐車管理して、車両を出庫させる。出庫の際に駐車料金の精算処理をおこなう。車番が判明していて、会員情報／車番ＤＢで車番と会員情報とが関連づけられていないとき、会員情報／車番ＤＢで車番と会員情報とが関連づける。
利用者がモバイル認証をしないとき、駐車場は、駐車券を受付、車両を出庫させる。
【０１０９】
次に、本発明の第二の実施形態にかかる駐車場の運用方法を、図を基に、説明する。
図１は、本発明の実施形態に係る駐車場の運用方法の準備処理フロー図である。図４は、本発明の第二の実施形態に係る駐車場の運用方法の入庫処理フロー図その１である。図５は、本発明の第二の実施形態に係る駐車場の運用方法の出庫処理フロー図その２である。
本発明の第二の実施形態にかかる駐車場の運用方法は、機械式駐車場の運用に使用できる。
本発明の第二の実施形態にかかる駐車場の運用方法の構成のうち、本発明の第一の実施形態にかかる駐車場の運用方法の構成と同じ箇所の説明を省略し、異なる箇所の説明をする。
【０１１０】
本発明の第二の実施形態に係る駐車場の運用方法は、準備工程と入庫工程と出庫工程とで構成される。
準備工程は、駐車場を運用するための準備をする工程である。
準備工程は、第一準備工程Ｓ１０と第二準備工程Ｓ２０とで構成されてもよい。
【０１１１】
第一準備工程は、第一の実施形態にかかる駐車場の運用方法のものと同じなので、説明を省略する。
【０１１２】
第二準備工程Ｓ２０は、車番読み取り機器準備工程Ｓ２１を有していてもよい。
車番読み取り機器準備工程Ｓ２１は、予め入庫通路を通過する車両の車番を読み取り可能な車番読み取り機器４０を準備する工程である。
機械式駐車場は入出庫通路３０をもつ。
機械式駐車場は入庫通路３１と出庫通路３２をもっていてもよい。
車両は、一般車道から入庫通路を通して入出庫扉を通過して、入出庫空間に入る。車両は、入出庫扉を通過して入出庫空間をでて、出庫通路を通って一般車道に出る。
車両は、一般車道から入出庫通路を通して入出庫扉を通過して、入出庫空間に入る。車両は、入出庫扉を通過して入出庫空間をでて、入出庫通路を通って一般車道に出てもよい。
車番読み取り機器４０は、入庫通路を走行中の車両の車番を読み取れる。
または、車番読み取り機器４０は、入出庫通路を入庫のために走行中、また停止中の車両の車番を読み取れる。
【０１１３】
入庫工程は、車両を入庫させる工程である。
入庫工程は、第一入庫工程Ｓ２３０で構成される。
入庫工程は、第一入庫工程Ｓ２３０と第二入庫工程Ｓ２４０とで構成されてもよい。
入庫工程は、第一入庫工程Ｓ２３０と第三入庫工程Ｓ２５０とで構成されてもよい。
入庫工程は、第一入庫工程Ｓ２３０と第二入庫工程Ｓ２４０と第三入庫工程Ｓ２５０とで構成されてもよい。
【０１１４】
最初に、第一入庫工程Ｓ２３０を説明する。
第一入庫工程Ｓ２３０は、車両の車番を読み取り、読み取った車番を基に車両を入庫させる工程である。
第一入庫工程Ｓ２３０は、入庫車両車番読み取り工程Ｓ２３１と入庫会員情報抽出工程Ｓ２３２と第一入庫許可工程Ｓ２３３とを順に実行する。
【０１１５】
入庫車両車番読み取り工程Ｓ２３１は、第二の実施形態にかかる駐車場の運用方法のものと同じなので、説明を省略する。
【０１１６】
入庫会員情報抽出工程Ｓ２３２は、会員情報／車番ＤＢにアクセスして特定入庫車両車番に関連づけられた会員情報を特定入庫車両を運転する会員の情報である特定入庫会員情報として抽出する工程である。
例えば、入庫会員情報抽出工程Ｓ２３２は、車番問い合わせ工程Ｓ２３２−１と入庫問い合わせ工程Ｓ２３２−２とシステム／会員情報検索工程Ｓ２３２−３とシステム／会員情報あり？工程Ｓ２３２−４とで構成される。
【０１１７】
車番問い合わせ工程Ｓ２３２−１では、駐車場が車番読み取り機器４０に車番を問い合わせる。
車両が駐車場の入出庫扉の前にくると、駐車場が車番読み取り機器４０に車番を問い合わせる。
車番読み取り機器４０が読み取った特定入庫車両車番を駐車場に送信する。
【０１１８】
入庫問い合わせ工程Ｓ２３２−２とシステム／会員情報検索工程Ｓ２３２−３とシステム／会員情報あり？工程Ｓ２３２−４は、第一の実施形態にかかる駐車場の運用方法のものと同じなので、説明を省略する。
【０１１９】
第一入庫許可工程Ｓ２３３は、第一の実施形態にかかる駐車場の運用方法のものと同じなので、説明を省略する。
【０１２０】
第二入庫工程Ｓ２４０と第三入庫工程Ｓ２５０とは、第一の実施形態にかかる駐車場の運用方法のものと同じなので、説明を省略する。
第二入庫工程Ｓ２４０は入庫会員情報入手工程Ｓ２４１と入庫時会員情報／車番ＤＢ更新工程Ｓ２４２と第二入庫許可工程Ｓ２４３とで構成される。
入庫会員情報入手工程Ｓ２４１は、駐車券発行／モバイル端末認証指示工程Ｓ２４１−１と操作？工程Ｓ２４１−２とモバイル情報読み取り工程Ｓ２４１−３と入庫問い合わせ工程Ｓ２４１−４と会員情報取得工程Ｓ２４１−５とで構成される。
入庫時会員情報／車番ＤＢ更新工程Ｓ２４２は、会員の車番登録済？工程Ｓ２４２−１と車番読み取りデータ有り？工程Ｓ２４２−２と会員情報／車番紐づけ工程Ｓ２４２−３とで構成される。
第二入庫許可工程Ｓ２４３は、会員情報取得工程Ｓ２４３−１と入庫許可工程Ｓ２４３−２とで構成される。
第三入庫工程Ｓ２５０は、第三入庫許可工程Ｓ２５１と入庫許可工程Ｓ２５１−１とで構成される。
【０１２１】
出庫工程は、車両を出庫させる工程である。
出庫工程は、第四出庫工程Ｓ２７０で構成されてもよい。
出庫工程は、第五出庫工程Ｓ２８０とで構成されてもよい。
出庫工程は、第四出庫工程Ｓ２７０と第五出庫工程Ｓ２８０とで構成されてもよい。
【０１２２】
第四出庫工程Ｓ２７０は、出庫会員情報入手工程Ｓ２７１と第四出庫許可工程Ｓ２７４とを順に実行する工程である。
第四出庫工程Ｓ２７０は、出庫会員情報入手工程Ｓ２７１と駐車料金精算工程Ｓ２７２と第四出庫許可工程Ｓ２７４とを順に実行する工程である。
【０１２３】
出庫会員情報入手工程Ｓ２７１と駐車料金精算工程Ｓ２７２と第四出庫許可工程Ｓ２７４とは、第一の実施形態にかかる駐車場の運用方法の出庫会員情報入手工程Ｓ２７１と駐車料金精算工程Ｓ２７２と第四出庫許可工程Ｓ２７４と同じなので、説明を省略する。
【０１２４】
第五出庫工程２８０は、出庫車両の運転手が入庫時に駐車券による駐車を選択したときにする入庫の工程である。
【０１２５】
第五出庫工程は、出庫会員情報入手工程Ｓ２７１で特定出庫会員情報を入手できなかったとき第五出庫許可工程Ｓ２８１を実行する。
例えば、第五出庫許可工程Ｓ２８１は、駐車料金精算工程Ｓ２８１−１と出庫許可工程Ｓ２８１−２とで構成される。
駐車料金精算工程Ｓ２８１−１と出庫許可工程Ｓ２８１−２とは、第一の実施形態にかかる駐車場の運用方法の駐車料金精算工程Ｓ１８１−１と出庫許可工程Ｓ１８１−２と同じなので、説明を省略する。
【０１２６】
次に、本発明の第二の実施形態の駐車場の運用方法を作用した駐車場の作用を、入庫手順と駐車手順と出庫手順に分けて、図を用いて、説明する。
【０１２７】
最初に入庫手順を説明する。
車両が入出庫通路３０を走行する。
車番読み取り機器４０が入出庫庫通路３０を走行する車両の車番を読み取る。
会員情報／車番ＤＢで車番と会員情報とが関連づけられているとき、駐車場は会員情報を基に駐車管理し、入出庫扉を開く。車両は入出庫扉を通過して入庫する。
車番読み取り機器４０が入庫通路３１を走行する車両の車番を読み取れなかったとき、または車番と会員情報とが関連づけられていないとき、駐車場は車両の運転手にモバイル認証を求める。
モバイル認証ができると、モバイル認証で得た情報を基に会員情報を入手し、駐車場は会員情報を基に駐車管理して、入出庫扉を開く。車両は入出庫扉を通過して入庫する。車番が判明していて、会員情報／車番ＤＢで車番と会員情報とが関連づけられていないとき、会員情報／車番ＤＢで車番と会員情報とが関連づける。
利用者がモバイル認証をしないとき、駐車場は、駐車券を発行し、車両を入庫させる。
【０１２８】
駐車手順では、機械式駐車場が入出庫空間に入った車両を駐車空間に搬入し、車両を駐車させる。
【０１２９】
次に、出庫手順を説明する。
駐車場は車両の運転手にモバイル認証を求める。
モバイル認証ができると、モバイル認証で得た情報を基に会員情報を入手し、駐車場は会員情報を基に駐車管理して、車両を出庫させる。出庫の際に駐車料金の精算処理をおこなう。
利用者がモバイル認証をしないとき、駐車場は、駐車券を受付けて、入出庫扉を開く、
車両が入出庫扉を通過して出庫する。
【０１３０】
以上説明したように、本発明の実施形態に係る駐車場の運用方法は、その構成により、以下の効果を有する。
自走式駐車場、機械式駐車場において、以下の効果を奏する。
車番読み取り機器４０により入庫通路を通過する車両の特定入庫車両車番を読み取り、会員情報／車番ＤＢにアクセスして特定入庫車両車番に関連づけられた会員情報を特定入庫会員情報として抽出し、特定入庫会員情報に基づき特定入庫車両の入庫を許可する様にしたので、車両の運転手の特別の操作を必要とせずに、駐車場に入庫できる。
また、会員情報／車番ＤＢにアクセスして特定入庫車両車番に関連づけられた会員情報を抽出できなかったときに、入庫する車両の運転手の操作により入力された情報を基に特定入庫会員情報を入手し、特定入庫会員情報に基づき特定入庫車両の入庫を許可する様にしたので、入庫車両車番読み取り工程Ｓ１３１で車番を読み取れなかったとき、又は会員情報／車番ＤＢに特定入庫車両車番に関連づけられた会員情報が記録されていないときも、運転手の簡単な操作により車両を駐車場に入庫できる。
また、入庫車両車番読み取り工程Ｓ１３１で車番を読み取れ、且つ会員情報／車番ＤＢにアクセスして特定入庫車両車番に関連づけられた会員情報を抽出できなかったときに、
入庫する車両の運転手の操作により入力された情報を基に特定入庫会員情報を入手し、会員情報／車番ＤＢを更新し、特定入庫会員情報に基づき特定入庫車両の入庫を許可する様にしたので、会員情報／車番ＤＢに特定入庫車両車番に関連づけられた会員情報が記録されていないときも、運転手の簡単な操作により車両をにより駐車場に入庫でき、会員情報／車番ＤＢを更新できる。
また、車番読み取り機器４０により入庫通路を通過する車両の特定入庫車両車番を読み取れなかったときに、入庫する車両の運転手の操作により入力された情報を基に特定入庫会員情報を入手し、特定入庫会員情報に基づき特定入庫車両の入庫を許可する様にしたので、特定入庫車両車番を読み取れなかったときにも、車両の運転手の入力する情報により駐車場に入庫できる。
また、入庫する車両の運転手の操作により入力された情報を基に特定入庫会員情報を入手できなかったとき、駐車券を発行し特定入庫車両の入庫を許可する様にしたので、情報にない車両でも駐車場に入庫できる。
また、車番読み取り機器４０により出庫通路を通過する車両の特定出庫車両車番を読み取れ、且つ、特定出庫車両車番を基に車両が駐車中であることを示す駐車記録を確認できたときに、駐車記録を基に特定出庫車両の出庫を許可する様にしたので、車両の運転手の操作を必要とせず、車両を出庫できる。
また、特定出庫車両車番を基に車両が駐車中であることを示す駐車記録を確認できなかったときに、運転手の操作により入力された情報を基に特定出庫会員情報を入手し、特定出庫会員情報を基に特定出庫車両の出庫を許可する様にしたので、車両の運転手の簡単な操作により車両を出庫できる。
また、車番読み取り機器４０により出庫通路を通過する車両の特定出庫車両車番を読み取れ、且つ駐車記録を確認できなかったとき、運転手の操作により入力された情報を基に特定出庫会員情報を入手し、会員情報／車番ＤＢを更新し、特定出庫会員情報を基に特定出庫車両の出庫を許可する様にしたので、車両の運転手の簡単な操作により車両を出庫でき、且つ会員情報／車番ＤＢを更新できる。
また、車番読み取り機器４０により出庫通路を通過する車両の特定出庫車両車番を読み取れなかったとき、運転手の操作により入力された情報を基に特定出庫会員情報を入手し、特定出庫会員情報を基に特定出庫車両の出庫を許可する様にしたので、車番を読み取れなかったとき、運転手の簡単な操作により車両を出庫できる。
また、運転手の操作により入力された情報を基によって特定出庫会員情報を入手できなかったとき、特定会員情報に基づかずに駐車券を受領し特定出庫車両の出庫を許可する様にしたので、情報のない車両でも駐車場を出庫できる。
【０１３１】
機械式駐車場の出庫において、以下の効果を奏する。
また、運転手の操作により入力された情報を基に特定出庫会員情報を入手し、、特定出庫会員情報を基に特定出庫車両の出庫を許可する様にしたので、運転手の簡単な操作により車両を駐車場から出庫できる。
また、運転手の操作により入力された情報を基に特定出庫会員情報を入手できなかったとき、駐車券を受領し特定出庫車両の出庫を許可する様にしたので、情報の登録されていない車両も駐車場から出庫できる。
【０１３２】
本発明は以上に述べた実施形態に限られるものではなく、発明の要旨を逸脱しない範囲で各種の変更が可能である。
入庫通路と出庫通路は、別個の通路であっても、共用の通路であってもよい。
【符号の説明】
【０１３３】
１０  自走式駐車場
２０  機械式駐車場
３０  入出庫通路
３１  入庫通路
３２  出庫通路
４０  車番読み取り機器
５０  システムサーバ
Ｓ１０  第一準備工程
Ｓ１１  会員情報／車番ＤＢ準備工程
Ｓ１１−１  会員登録工程
Ｓ１１−２  車番登録？工程
Ｓ１１−３  会員情報／車番ＤＢ紐付け登録工程
Ｓ１１−４  会員ＩＤ発行工程
Ｓ１１−５  会員情報登録工程
Ｓ２０  第二準備工程
Ｓ２１  車番読み取り機器準備工程
Ｓ１３０  第一入庫工程
Ｓ１３１  入庫車両車番読み取り工程
Ｓ１３１−１  車番読み取り工程
Ｓ１３１−２  読み取り出来たか？工程
Ｓ１３２  入庫会員情報抽出工程
Ｓ１３２−１  入庫問い合わせ工程
Ｓ１３２−２  システム／会員情報検索工程
Ｓ１３２−３  システム／会員情報あり？工程
Ｓ１３３  第一入庫許可工程
Ｓ１３３−１  駐車設備／会員情報取得工程
Ｓ１３３−２  入庫許可工程
Ｓ１４０  第二入庫工程
Ｓ１４１  入庫会員情報入手工程
Ｓ１４１−１  駐車券発行／モバイル端末認証指示工程
Ｓ１４１−２  操作？工程
Ｓ１４１−３  モバイル情報読み取り工程
Ｓ１４１−４  入庫問い合わせ工程
Ｓ１４１−５  会員情報取得工程
Ｓ１４２  入庫時会員情報／車番ＤＢ更新工程
Ｓ１４２−１  会員の車番登録済？工程
Ｓ１４２−２  車番読み取りデータ有り？工程
Ｓ１４２−３  会員情報／車番紐づけ工程
Ｓ１４３  第二入庫許可工程
Ｓ１４３−１  会員情報取得工程
Ｓ１４３−２  入庫許可工程
Ｓ１５０  第三入庫工程
Ｓ１５１  第三入庫許可工程
Ｓ１５１−１  入庫許可工程
Ｓ１６０  第一出庫工程
Ｓ１６１  出庫車両車番読み取り工程
Ｓ１６１−１  車番読み取り工程
Ｓ１６１−２  読み取り出来たか？工程
Ｓ１６２  駐車記録確認工程
Ｓ１６２−１  ローカル情報検索工程
Ｓ１６２−２  出庫問い合わせ工程
Ｓ１６２−３  会員情報取得工程
Ｓ１６３  第一出庫許可工程
Ｓ１６３−１  出庫許可工程
Ｓ１７０  第二出庫工程
Ｓ１７１  出庫会員情報入手工程
Ｓ１７１−１  駐車券発行／モバイル端末認証指示工程
Ｓ１７１−２  操作？工程
Ｓ１７１−３  モバイル情報読み取り工程
Ｓ１７１−４  ローカル情報検索工程
Ｓ１７１−５  出庫問い合わせ工程
Ｓ１７１−６  システム／会員情報取得工程
Ｓ１７２  駐車料金精算工程
Ｓ１７２−１  料金ステータス？工程
Ｓ１７２−２  料金精算工程
Ｓ１７３  出庫時会員情報／車番ＤＢ更新工程
Ｓ１７３−１  会員の車番登録済？工程
Ｓ１７３−２  車番読み取りデータ有り？工程
Ｓ１７３−３  会員情報／車番紐づけ工程
Ｓ１７４  第二出庫許可工程
Ｓ１７４−１  システム／出庫許可送信工程
Ｓ１７４−２  出庫許可工程
Ｓ１８０  第三出庫工程
Ｓ１８１  第三出庫許可工程
Ｓ１８１−１  駐車料金精算工程
Ｓ１８１−２  出庫許可工程
Ｓ２３０  第一入庫工程
Ｓ２３１  入庫車両車番読み取り工程
Ｓ２３１−１  車番読み取り工程
Ｓ２３１−２  読み取り出来たか？工程
Ｓ２３２  入庫会員情報抽出工程
Ｓ２３２−１  車番問い合わせ工程
Ｓ２３２−２  入庫問い合わせ工程
Ｓ２３２−３  システム／会員情報検索工程
Ｓ２３２−４  システム／会員情報あり？工程
Ｓ２３３  第一入庫許可工程
Ｓ２３３−１  駐車設備／会員情報取得工程
Ｓ２３３−２  入庫許可工程
Ｓ２４０  第二入庫工程
Ｓ２４１  入庫会員情報入手工程
Ｓ２４１−１  駐車券発行／モバイル端末認証指示工程
Ｓ２４１−２  操作？工程
Ｓ２４１−３  モバイル情報読み取り工程
Ｓ２４１−４  入庫問い合わせ工程
Ｓ２４１−５  会員情報取得工程
Ｓ２４２  入庫時会員情報／車番ＤＢ更新工程
Ｓ２４２−１  会員の車番登録済？工程
Ｓ２４２−２  車番読み取りデータ有り？工程
Ｓ２４２−３  会員情報／車番紐づけ工程
Ｓ２４３  第二入庫許可工程
Ｓ２４３−１  会員情報取得工程
Ｓ２４３−２  入庫許可工程
Ｓ２５０  第三入庫工程
Ｓ２５１  第三入庫許可工程
Ｓ２５１−１  入庫許可工程
Ｓ２７０  第四出庫工程
Ｓ２７１  出庫会員情報入手工程
Ｓ２７１−１  駐車券発行／モバイル端末認証指示工程
Ｓ２７１−２  操作？工程
Ｓ２７１−３  モバイル情報読み取り工程
Ｓ２７１−４  ローカル情報検索工程
Ｓ２７１−５  出庫問い合わせ工程
Ｓ２７１−６  システム／会員情報取得工程
Ｓ２７２  駐車料金精算工程
Ｓ２７２−１  料金ステータス？工程
Ｓ２７２−２  料金精算工程
Ｓ２７４  第四出庫許可工程
Ｓ２７４−１  システム／出庫許可送信工程
Ｓ２７４−２  出庫許可工程
Ｓ２８０  第五出庫工程
Ｓ２８１  第五出庫許可工程
Ｓ２８１−１  駐車料金精算工程
Ｓ２８１−２  出庫許可工程
【先行技術文献】
【特許文献】
【０１３４】
【特許文献１】特許第４２２９９７１号
【図１】
2018193697.tif 000003
【図２】
2018193697.tif 000004
【図３】
2018193697.tif 000005
【図４】
2018193697.tif 000006
【図５】
2018193697.tif 000007
【図６】
2018193697.tif 000008